(57)【要約】【課題】印刷データの印刷の完了をユーザが容易に確認できる印刷処理装置、印刷処理方法、画像出力装置、印刷処理装置および画像出力装置の印刷処理方法、印刷処理システム、印刷処理プログラムを提供する。【解決手段】ジョブエンドシートの生成が指示されると、サムネール画像生成部８は印刷画像のサムネール画像を生成し、画像切出し部９はサムネール画像から切出しサムネール画像を切り出す。印刷ジョブ作成部１０は印刷ジョブを作成して画像出力装置４に送信する。印刷部２０は印刷ジョブに含まれる印刷画像を用紙上に形成し、印刷が完了すると、印刷結果情報を印刷処理装置２に送信する。「印刷完了ページ数＝予定印刷ページ数」である場合、ジョブエンドシート生成部１４１は切出しサムネール画像を添付したジョブエンドシートを生成し、生成したジョブエンドシートを画像出力装置４に送信する。【選択図】図２
2006053784.tif 000002
【特許請求の範囲】
【請求項１】
画像出力装置で出力する印刷ジョブを処理する印刷処理装置において、
入力した画像データに基づいて印刷画像を生成する印刷画像生成手段と、
前記印刷画像生成手段で生成した印刷画像を加工する印刷画像加工手段と、
前記印刷画像加工手段で加工した印刷画像を添付したジョブエンドシートを生成するジョブエンドシート生成手段と、
前記印刷画像の印刷ジョブを作成する印刷ジョブ作成手段と、
前記印刷ジョブ作成手段で作成した印刷画像の印刷ジョブを前記画像出力装置に送信する印刷ジョブ送信手段と
を具備し、
前記印刷ジョブ送信手段は、
前記画像出力装置で前記印刷ジョブの出力が完了した際に、前記加工した印刷画像を添付したジョブエンドシートの印刷ジョブを該画像出力装置に送信する
ことを特徴とする印刷処理装置。
【請求項２】
前記印刷画像加工手段は、
前記印刷画像生成手段で生成した印刷画像の縮小画像を生成する縮小画像生成手段
を具備し、
前記ジョブエンドシート生成手段は、
前記縮小画像生成手段で生成した縮小画像を添付したジョブエンドシートを生成する
ことを特徴とする請求項１記載の印刷処理装置。
【請求項３】
前記印刷画像加工手段は、
前記印刷画像または前記縮小画像から切出し画像を切り出す画像切出し手段
を具備し、
前記ジョブエンドシート生成手段は、
前記画像切出し手段で切り出した切出し画像を添付したジョブエンドシートを生成する
ことを特徴とする請求項２記載の印刷処理装置。
【請求項４】
前記画像切出し手段は、
前記印刷画像または前記縮小画像から切り出す前記切出し画像の位置、領域、倍率を設定する画像切出し設定手段
を具備することを特徴とする請求項３記載の印刷処理装置。
【請求項５】
前記切出し設定手段が設定する前記切出し画像の位置、領域、倍率を指示する画像切出し設定指示手段
を更に具備することを特徴とする請求項４記載の印刷処理装置。
【請求項６】
前記画像生成手段は、
前記印刷ジョブの予定印刷ページ数を取得する予定印刷ページ数取得手段
を具備し、
前記画像出力装置で前記印刷ジョブの出力が完了した際に保持される結果情報を取得する結果情報取得手段と、
前記結果情報取得手段で取得した結果情報の完了ページ数と、前記予定印刷ページ数取得手段で取得した予定印刷ページ数とを比較する完了ページ数比較手段と
を更に具備し、
前記完了ページ数と前記予定印刷ページ数とが一致である場合、前記印刷ジョブ作成手段は前記ジョブエンドシートの印刷ジョブを作成し、
前記完了ページ数と前記予定印刷ページ数とが不一致である場合、前記印刷ジョブの出力が未完了の旨を警告する
ことを特徴とする請求項１記載の印刷処理装置。
【請求項７】
前記ジョブエンドシートの生成を指示するジョブエンドシート生成指示手段
を更に具備することを特徴とする請求項１記載の印刷処理装置。
【請求項８】
画像出力装置で出力する印刷ジョブを処理する印刷処理方法において、
入力した画像データに基づいて印刷画像を生成し、
該生成した印刷画像の縮小画像を加工し、
該加工した印刷画像を添付したジョブエンドシートを生成し、
前記印刷画像の印刷ジョブを作成し、
該作成した印刷画像の印刷ジョブを前記画像出力装置に送信し、
前記画像出力装置で前記印刷ジョブの出力が完了した際に、前記加工した印刷画像が添付されたジョブエンドシートの印刷ジョブを該画像出力装置に送信する
ことを特徴とする印刷処理方法。
【請求項９】
前記印刷画像を加工する際に、
前記印刷画像の縮小画像を生成し、
該生成した縮小画像を添付したジョブエンドシートを生成する
ことを特徴とする請求項８記載の印刷処理方法。
【請求項１０】
前記印刷画像を加工する際に、
前記印刷画像または前記縮小画像から切出し画像を切り出し、
該切り出した切出し画像を添付したジョブエンドシートを生成する
ことを特徴とする請求項９記載の印刷処理方法。
【請求項１１】
前記切出し画像を切り出す際に、前記印刷画像または前記縮小画像からから切り出す該切出し画像の位置、領域、倍率を設定する
ことを特徴とする請求項１０記載の印刷処理方法。
【請求項１２】
前記切出し画像の位置、領域、倍率の設定を指示する
ことを特徴とする請求項１１記載の印刷処理方法。
【請求項１３】
前記印刷ジョブを前記画像出力装置に送信した際に、
前記印刷ジョブの予定印刷ページ数を取得し、
前記画像出力装置で前記印刷ジョブの出力が完了した際に保持される結果情報を取得し、
該取得した結果情報の完了ページ数と前記予定印刷ページ数とを比較し、
前記完了ページ数と前記予定印刷ページ数とが一致である場合、前記ジョブエンドシートの印刷ジョブを作成し、
前記完了ページ数と前記予定印刷ページ数とが不一致である場合、前記印刷ジョブの出力が未完了の旨を警告する
ことを特徴とする請求項８記載の印刷処理方法。
【請求項１４】
前記印刷画像を生成する際に、前記ジョブエンドシートの生成を指示する
ことを特徴とする請求項８記載の印刷処理方法。
【請求項１５】
画像出力装置で出力する印刷ジョブを処理する印刷処理装置において、
入力した画像データに基づいて印刷画像を生成する印刷画像生成手段と、
前記印刷画像生成手段で生成した印刷画像を加工する印刷画像加工手段と、
前記印刷画像加工手段で加工した印刷画像と前記印刷画像との印刷ジョブを作成する印刷ジョブ作成手段と、
前記印刷ジョブ作成手段で作成した前記印刷画像と前記加工した印刷画像との印刷ジョブを前記画像出力装置に送信する印刷ジョブ送信手段と
を具備し、
前記画像出力装置は、
前記印刷ジョブを出力し、
前記印刷ジョブの出力が完了した際に、該印刷ジョブに含まれる前記加工した印刷画像を添付したジョブエンドシートを生成し、
該生成したジョブエンドシートを出力する
ことを特徴とする印刷処理装置。
【請求項１６】
前記印刷画像加工手段は、
前記印刷画像生成手段で生成した印刷画像の縮小画像を生成する縮小画像生成手段
を具備し、
前記印刷ジョブ作成手段は、
前記縮小画像生成手段で生成した縮小画像と前記印刷画像との印刷ジョブを作成する
ことを特徴とする請求項１５記載の印刷処理装置。
【請求項１７】
前記印刷画像加工手段は、
前記印刷画像または前記縮小画像から切出し画像を切り出す画像切出し手段
を具備し、
前記印刷ジョブ作成手段は、
前記画像切出し手段で切り出した切出し画像と前記印刷画像との印刷ジョブを作成する
ことを特徴とする請求項１６記載の印刷処理装置。
【請求項１８】
前記画像切出し手段は、
前記印刷画像または前記縮小画像から切り出す前記切出し画像の位置、領域、倍率を設定する画像切出し設定手段
を具備することを特徴とする請求項１７記載の印刷処理装置。
【請求項１９】
前記切出し設定手段が設定する前記切出し画像の位置、領域、倍率を指示する画像切出し設定指示手段
を更に具備することを特徴とする請求項１８記載の印刷処理装置。
【請求項２０】
前記ジョブエンドシートの生成を指示するジョブエンドシート生成指示手段
を更に具備することを特徴とする請求項１５記載の印刷処理装置。
【請求項２１】
印刷処理装置で処理した印刷ジョブを出力する画像出力装置において、
前記印刷処理装置から送信された印刷ジョブを受信する印刷ジョブ受信手段と、
前記印刷ジョブに含まれる印刷画像を出力する画像出力手段と、
前記印刷ジョブ受信手段で受信した印刷ジョブに前記印刷処理装置で加工された加工印刷画像が含まれている場合、該印刷ジョブから該加工印刷画像を抽出する抽出手段と、
前記画像出力手段における印刷画像の出力が完了した際に、前記抽出手段で抽出した加工印刷画像を添付したジョブエンドシートを生成するジョブエンドシート生成手段と
を具備し、
前記画像出力手段は、
前記ジョブエンドシート生成手段で生成したジョブエンドシートを出力する
ことを特徴とする画像出力装置。
【請求項２２】
前記ジョブエンドシート生成手段は、
前記画像出力手段が出力した印刷画像のページに対応する加工画像をジョブエンドシートに添付する
ことを特徴とする請求項２１記載の画像出力装置。
【請求項２３】
印刷ジョブを処理する印刷処理装置および該印刷ジョブを出力する画像出力装置の印刷処理方法において、
前記印刷処理装置は、
入力した画像データに基づいて印刷画像を生成し、
該生成した印刷画像を加工し、
該加工した印刷画像と前記印刷画像との印刷ジョブを作成し、
該作成した前記印刷画像と前記加工した印刷画像との印刷ジョブを前記画像出力装置に送信し、
前記画像出力装置は、
前記印刷処理装置から送信された印刷ジョブを受信し、
該受信した印刷ジョブに前記加工した印刷画像が含まれている場合、該印刷ジョブから該加工印刷画像を抽出し、
前記印刷ジョブに含まれる印刷画像を出力し、
前記印刷画像の出力が完了した際に、前記加工した印刷画像を添付したジョブエンドシートを生成し、
該生成したジョブエンドシートを出力する
ことを特徴とする印刷処理装置および画像出力装置の印刷処理方法。
【請求項２４】
前記印刷処理装置は前記印刷画像を加工する際に、
前記印刷画像の縮小画像を生成し、
該生成した縮小画像と前記印刷画像との印刷ジョブを作成する
ことを特徴とする請求項２３記載の印刷処理装置および画像出力装置の印刷処理方法。
【請求項２５】
前記印刷処理装置は前記印刷画像を加工する際に、
前記印刷画像または前記縮小画像から切出し画像を切り出し、
該切り出した切出し画像と前記印刷画像との印刷ジョブを作成する
ことを特徴とする請求項２４記載の印刷処理装置および画像出力装置の印刷処理方法。
【請求項２６】
前記印刷処理装置は、
前記印刷画像または前記縮小画像から切り出す前記切出し画像の位置、領域、倍率を設定する
ことを特徴とする請求項２５記載の印刷処理装置および画像出力装置の印刷処理方法。
【請求項２７】
前記切出し画像の位置、領域、倍率の設定を指示する
ことを特徴とする請求項２６記載の印刷処理装置および画像出力装置の印刷処理方法。
【請求項２８】
前記印刷画像を生成する際に、前記ジョブエンドシートの生成を指示する
ことを特徴とする請求項２３記載の印刷処理装置および画像出力装置の印刷処理方法。
【請求項２９】
前記画像出力装置は、
前記出力した印刷画像のページに対応する加工画像をジョブエンドシートに添付する
ことを特徴とする請求項２３記載の印刷処理装置および画像出力装置の印刷処理方法。
【請求項３０】
印刷処理装置で処理した印刷ジョブを画像出力装置が出力する印刷処理システムにおいて、
前記印刷処理装置は、
入力した画像データに基づいて印刷画像を生成する印刷画像生成手段と、
前記印刷画像生成手段で生成した印刷画像を加工する印刷画像加工手段と、
前記印刷画像加工手段で加工した印刷画像と前記印刷画像との印刷ジョブを作成する印刷ジョブ作成手段と、
前記印刷ジョブ作成手段で作成した前記印刷画像と前記加工した印刷画像との印刷ジョブを前記画像出力装置に送信する印刷ジョブ送信手段と
を具備し、
前記画像出力装置は、
前記印刷処理装置から送信された印刷ジョブを受信する印刷ジョブ受信手段と、
前記印刷ジョブに含まれる印刷画像を出力する画像出力手段と、
前記印刷ジョブ受信手段で受信した印刷ジョブに前記加工した印刷画像が含まれている場合、該印刷ジョブから該加工した印刷画像を抽出する抽出手段と、
前記画像出力手段における印刷画像の出力が完了した際に、前記抽出手段で抽出した加工印刷画像を添付したジョブエンドシートを生成するジョブエンドシート生成手段と
を具備し、
前記画像出力手段は、
前記ジョブエンドシート生成手段で生成したジョブエンドシートを出力する
ことを特徴とする印刷処理システム。
【請求項３１】
前記印刷画像加工手段は、
前記印刷画像生成手段で生成した印刷画像の縮小画像を生成する縮小画像生成手段
を具備し、
前記印刷ジョブ作成手段は、
前記縮小画像生成手段で生成した縮小画像と前記印刷画像との印刷ジョブを作成する
ことを特徴とする請求項３０記載の印刷処理システム。
【請求項３２】
前記印刷画像加工手段は、
前記印刷画像または前記縮小画像から切出し画像を切り出す画像切出し手段
を具備し、
前記印刷ジョブ作成手段は、
前記画像切出し手段で切り出した切出し画像と前記印刷画像との印刷ジョブを作成する
ことを特徴とする請求項３１記載の印刷処理システム。
【請求項３３】
前記画像切出し手段は、
前記印刷画像または前記縮小画像から切り出す前記切出し画像の位置、領域、倍率を設定する画像切出し設定手段
を具備することを特徴とする請求項３２記載の印刷処理システム。
【請求項３４】
前記切出し設定手段が設定する前記切出し画像の位置、領域、倍率を指示する画像切出し設定指示手段
を更に具備することを特徴とする請求項３３記載の印刷処理システム。
【請求項３５】
前記ジョブエンドシートの生成を指示するジョブエンドシート生成指示手段
を更に具備することを特徴とする請求項３０記載の印刷処理システム。
【請求項３６】
前記ジョブエンドシート生成手段は、
前記画像出力手段が出力した印刷画像のページに対応する加工画像をジョブエンドシートに添付する
ことを特徴とする請求項３０記載の印刷処理システム。
【請求項３７】
画像出力装置で出力する印刷ジョブを処理する印刷処理装置において、
入力した画像データに基づいて印刷画像を生成する印刷画像生成手段と、
前記印刷画像生成手段で生成した印刷画像を加工する印刷画像加工手段と、
前記印刷画像の印刷ジョブを作成する印刷ジョブ作成手段と、
前記印刷画像加工手段で加工した印刷画像と、前記印刷ジョブ作成手段で作成した印刷ジョブとを関連付けて保存する保存手段と、
前記保存手段に保存された印刷ジョブの再印刷に関する制御を行う再印刷制御手段と、
前記加工した印刷画像を表示する表示手段と、
前記再印刷制御手段に対して前記保存手段に保存された印刷ジョブの再印刷を要求する再印刷要求手段と、
前記印刷ジョブを前記画像出力装置に送信する印刷ジョブ送信手段と、
を具備し、
前記再印刷制御手段は、
前記再印刷要求手段から再印刷の要求を受け付けると、前記加工した印刷画像を表示手段に表示する
ことを特徴とする印刷処理装置。
【請求項３８】
前記印刷画像加工手段は、
前記印刷画像生成手段で生成した印刷画像の縮小画像を生成する縮小画像生成手段
を具備することを特徴とする請求項３７記載の印刷処理装置。
【請求項３９】
前記印刷画像加工手段は、
前記印刷画像または前記縮小画像から切出し画像を切り出す画像切出し手段
を具備することを特徴とする請求項３８記載の印刷処理装置。
【請求項４０】
前記画像切出し手段は、
前記印刷画像または前記縮小画像から切り出す前記切出し画像の位置、領域、倍率を設定する画像切出し設定手段
を具備することを特徴とする請求項３９記載の印刷処理装置。
【請求項４１】
前記切出し設定手段が設定する前記切出し画像の位置、領域、倍率を指示する画像切出し設定指示手段
を更に具備することを特徴とする請求項４０記載の印刷処理装置。
【請求項４２】
前記印刷画像加工手段に対して印刷画像の加工を指示する印刷画像加工指示手段
を更に具備することを特徴とする請求項３７記載の印刷処理装置。
【請求項４３】
画像出力装置で出力する印刷ジョブを処理する印刷処理方法において、
入力した画像データに基づいて印刷画像を生成し、
該生成した印刷画像を加工し、
前記印刷画像の印刷ジョブを作成し、
該作成した印刷画像の印刷ジョブを前記画像出力装置に送信し、
前記加工した印刷画像と、前記印刷ジョブとを関連付けて保存し、
該保存された印刷ジョブの再印刷の要求を受け付けると、前記加工した印刷画像を表示する
ことを特徴とする印刷処理方法。
【請求項４４】
前記印刷画像の加工は、
前記印刷画像の縮小画像を生成する
ことを特徴とする請求項４３記載の印刷処理方法。
【請求項４５】
前記印刷画像の加工は、
前記印刷画像または前記縮小画像から切出し画像を切り出す
ことを特徴とする請求項４４記載の印刷処理方法。
【請求項４６】
前記切出し画像を切り出す際に、前記印刷画像または前記縮小画像から切り出す該切出し画像の位置、領域、倍率を設定する
ことを特徴とする請求項４５記載の印刷処理方法。
【請求項４７】
前記切出し画像の位置、領域、倍率の設定を指示する
ことを特徴とする請求項４６記載の印刷処理方法。
【請求項４８】
前記印刷画像の生成の際に該印刷画像の加工を指示する
ことを特徴とする請求項４３記載の印刷処理方法。
【請求項４９】
画像出力装置で出力する印刷ジョブを処理する印刷処理プログラムにおいて、
入力した画像データに基づいて印刷画像を生成する処理と、
該生成した印刷画像を加工する処理と、
前記印刷画像の印刷ジョブを作成する処理と、
該作成した印刷画像の印刷ジョブを前記画像出力装置に送信する処理と、
前記加工した印刷画像と、前記印刷ジョブとを関連付けて保存する処理と、
該保存された印刷ジョブの再印刷の要求を受け付けると、前記加工した印刷画像を表示する処理と
をコンピュータに動作させることを特徴とする印刷処理プログラム。
【請求項５０】
前記印刷画像を加工する際に、該印刷画像の縮小画像を生成する処理
をコンピュータに動作させることを特徴とする請求項４９記載の印刷処理プログラム。
【請求項５１】
前記印刷画像を加工する際に、該印刷画像または前記縮小画像から切出し画像を切り出す処理
をコンピュータに動作させることを特徴とする請求項５０記載の印刷処理プログラム。
【請求項５２】
前記切出し画像を切り出す際に、前記印刷画像または前記縮小画像から切り出す前記切出し画像の位置、領域、倍率を設定する処理
をコンピュータに動作させることを特徴とする請求項５１記載の印刷処理プログラム。
【請求項５３】
前記切出し画像の位置、領域、倍率の設定を指示する処理
をコンピュータに動作させることを特徴とする請求項５２記載の印刷処理プログラム。
【請求項５４】
前記印刷画像の生成の際に該印刷画像の加工を指示する処理
をコンピュータに動作させることを特徴とする請求項４９記載の印刷処理プログラム。
【発明の詳細な説明】
【技術分野】
【０００１】
本発明は、印刷処理装置、印刷処理方法、画像出力装置、印刷処理装置および画像出力装置の印刷処理方法、印刷処理システム、印刷処理プログラムに関し、特に、ホストから受け付けた印刷データを印刷処理して印刷装置に送出する印刷処理装置、印刷処理方法、画像出力装置、印刷処理装置および画像出力装置の印刷処理方法、印刷処理システム、印刷処理プログラムに関する。
【背景技術】
【０００２】
一度印刷したファイルを印刷イメージで保存し、当該印刷イメージを再印刷する機能が提供されている。このような機能では、印刷イメージの表示の簡便性等で、当該印刷イメージの縮小画像（サムネール）を有しているものがある。主な用途としては、ファイルの視認性を高めるためにＰＣ（Personal Computer）等上で表示することである。
【０００３】
例えば、画像を生成するとともにサムネールを作成し、作成したサムネールをサーバ装置に登録し、閲覧装置より閲覧することが可能なディジタル複合機および画像管理システムがある（例えば、特許文献１参照。）。
【０００４】
ここで、印刷するページが数百ページから数千ページと大量になる場合、印刷が全て完了したかどうかを確認するために印刷された用紙を手作業で確認する必要があった。このための補助機能として、印刷ジョブが印刷された後にジョブエンドシート（バナーシートとも呼ぶ）を印刷し、当該ジョブエンドシートにページ数等を印刷する機能がある。
【０００５】
しかし、ページ数をジョブエンドシートに印刷したとしても、一般的に、印刷装置の許容ページ数およびトータル性能の向上を考慮して、数千ページに及ぶ文書の印刷では、複数の印刷装置に印刷ジョブを分割することが行われるため、ジョブエンドシートにページ数が印刷されただけでは、本当に印刷が全て完了したか否か判別することは困難であった。
【０００６】
また、ページ数等を明示的に印刷したとしても、実際にどの印刷イメージが印刷されたのか確認することが困難であった。
【０００７】
そこで、例えば、画像送信時に送信一覧データとして送信情報と縮小画像を複数個ずつにまとめたデータを出力する画像処理装置、画像処理方法及び記録媒体がある（例えば、特許文献２参照。）。
【特許文献１】特開平１０−３１２４５６号公報
【特許文献２】特開２００２−１４２０６２号公報
【発明の開示】
【発明が解決しようとする課題】
【０００８】
しかし、特許文献２に記載された技術では、印刷が全て完了したか否かをユーザに確実に示すことは困難であり、更に、画像全体の縮小画像を作成することしか記載されておらず、図面データ等の場合、類似した図面データのページ同士が縮小画像になると区別を付けづらいという問題がある。
【０００９】
そこで、本発明は、上記の問題点を鑑みて、印刷データの印刷の完了または再印刷の際の印刷データの指定をユーザが容易に確認できる印刷処理装置、印刷処理方法、画像出力装置、印刷処理装置および画像出力装置の印刷処理方法、印刷処理システム、印刷処理プログラムを提供することを目的とする。
【課題を解決するための手段】
【００１０】
上記目的を達成するため、請求項１の発明は、画像出力装置で出力する印刷ジョブを処理する印刷処理装置において、入力した画像データに基づいて印刷画像を生成する印刷画像生成手段と、前記印刷画像生成手段で生成した印刷画像を加工する印刷画像加工手段と、前記印刷画像加工手段で加工した印刷画像を添付したジョブエンドシートを生成するジョブエンドシート生成手段と、前記印刷画像の印刷ジョブを作成する印刷ジョブ作成手段と、前記印刷ジョブ作成手段で作成した印刷画像の印刷ジョブを前記画像出力装置に送信する印刷ジョブ送信手段とを具備し、前記印刷ジョブ送信手段は、前記画像出力装置で前記印刷ジョブの出力が完了した際に、前記加工した印刷画像を添付したジョブエンドシートの印刷ジョブを該画像出力装置に送信することを特徴とする。
【００１１】
また、請求項２の発明は、請求項１の発明において、前記印刷画像加工手段は、前記印刷画像生成手段で生成した印刷画像の縮小画像を生成する縮小画像生成手段を具備し、前記ジョブエンドシート生成手段は、前記縮小画像生成手段で生成した縮小画像を添付したジョブエンドシートを生成することを特徴とする。
【００１２】
また、請求項３の発明は、請求項２の発明において、前記印刷画像加工手段は、前記印刷画像または前記縮小画像から切出し画像を切り出す画像切出し手段を具備し、前記ジョブエンドシート生成手段は、前記画像切出し手段で切り出した切出し画像を添付したジョブエンドシートを生成することを特徴とする。
【００１３】
また、請求項４の発明は、請求項３の発明において、前記画像切出し手段は、前記印刷画像または前記縮小画像から切り出す前記切出し画像の位置、領域、倍率を設定する画像切出し設定手段を具備することを特徴とする。
【００１４】
また、請求項５の発明は、請求項４の発明において、前記切出し設定手段が設定する前記切出し画像の位置、領域、倍率を指示する画像切出し設定指示手段を更に具備することを特徴とする。
【００１５】
また、請求項６の発明は、請求項１の発明において、前記画像生成手段は、前記印刷ジョブの予定印刷ページ数を取得する予定印刷ページ数取得手段を具備し、前記画像出力装置で前記印刷ジョブの出力が完了した際に保持される結果情報を取得する結果情報取得手段と、前記結果情報取得手段で取得した結果情報の完了ページ数と、前記予定印刷ページ数取得手段で取得した予定印刷ページ数とを比較する完了ページ数比較手段とを更に具備し、前記完了ページ数と前記予定印刷ページ数とが一致である場合、前記印刷ジョブ作成手段は前記ジョブエンドシートの印刷ジョブを作成し、前記完了ページ数と前記予定印刷ページ数とが不一致である場合、前記印刷ジョブの出力が未完了の旨を警告することを特徴とする。
【００１６】
また、請求項７の発明は、請求項１の発明において、前記ジョブエンドシートの生成を指示するジョブエンドシート生成指示手段を更に具備することを特徴とする。
【００１７】
また、請求項８の発明は、画像出力装置で出力する印刷ジョブを処理する印刷処理方法において、入力した画像データに基づいて印刷画像を生成し、該生成した印刷画像の縮小画像を加工し、該加工した印刷画像を添付したジョブエンドシートを生成し、前記印刷画像の印刷ジョブを作成し、該作成した印刷画像の印刷ジョブを前記画像出力装置に送信し、前記画像出力装置で前記印刷ジョブの出力が完了した際に、前記加工した印刷画像が添付されたジョブエンドシートの印刷ジョブを該画像出力装置に送信することを特徴とする。
【００１８】
また、請求項９の発明は、請求項８の発明において、前記印刷画像を加工する際に、前記印刷画像の縮小画像を生成し、該生成した縮小画像を添付したジョブエンドシートを生成することを特徴とする。
【００１９】
また、請求項１０の発明は、請求項９の発明において、前記印刷画像を加工する際に、前記印刷画像または前記縮小画像から切出し画像を切り出し、該切り出した切出し画像を添付したジョブエンドシートを生成することを特徴とする。
【００２０】
また、請求項１１の発明は、請求項１０の発明において、前記切出し画像を切り出す際に、前記印刷画像または前記縮小画像からから切り出す該切出し画像の位置、領域、倍率を設定することを特徴とする。
【００２１】
また、請求項１２の発明は、請求項１１の発明において、前記切出し画像の位置、領域、倍率の設定を指示することを特徴とする。
【００２２】
また、請求項１３の発明は、請求項８の発明において、前記印刷ジョブを前記画像出力装置に送信した際に、前記印刷ジョブの予定印刷ページ数を取得し、前記画像出力装置で前記印刷ジョブの出力が完了した際に保持される結果情報を取得し、該取得した結果情報の完了ページ数と前記予定印刷ページ数とを比較し、前記完了ページ数と前記予定印刷ページ数とが一致である場合、前記ジョブエンドシートの印刷ジョブを作成し、前記完了ページ数と前記予定印刷ページ数とが不一致である場合、前記印刷ジョブの出力が未完了の旨を警告することを特徴とする。
【００２３】
また、請求項１５の発明は、画像出力装置で出力する印刷ジョブを処理する印刷処理装置において、入力した画像データに基づいて印刷画像を生成する印刷画像生成手段と、前記印刷画像生成手段で生成した印刷画像を加工する印刷画像加工手段と、前記印刷画像加工手段で加工した印刷画像と前記印刷画像との印刷ジョブを作成する印刷ジョブ作成手段と、前記印刷ジョブ作成手段で作成した前記印刷画像と前記加工した印刷画像との印刷ジョブを前記画像出力装置に送信する印刷ジョブ送信手段とを具備し、前記画像出力装置は、前記印刷ジョブを出力し、前記印刷ジョブの出力が完了した際に、該印刷ジョブに含まれる前記加工した印刷画像を添付したジョブエンドシートを生成し、該生成したジョブエンドシートを出力することを特徴とする。
【００２４】
また、請求項１６の発明は、請求項１５の発明において、前記印刷画像加工手段は、前記印刷画像生成手段で生成した印刷画像の縮小画像を生成する縮小画像生成手段を具備し、前記印刷ジョブ作成手段は、前記縮小画像生成手段で生成した縮小画像と前記印刷画像との印刷ジョブを作成することを特徴とする。
【００２５】
また、請求項１７の発明は、請求項１６の発明において、前記印刷画像加工手段は、前記印刷画像または前記縮小画像から切出し画像を切り出す画像切出し手段を具備し、前記印刷ジョブ作成手段は、前記画像切出し手段で切り出した切出し画像と前記印刷画像との印刷ジョブを作成することを特徴とする。
【００２６】
また、請求項１８の発明は、請求項１７の発明において、前記画像切出し手段は、前記印刷画像または前記縮小画像から切り出す前記切出し画像の位置、領域、倍率を設定する画像切出し設定手段を具備することを特徴とする。
【００２７】
また、請求項１９の発明は、請求項１８の発明において、前記切出し設定手段が設定する前記切出し画像の位置、領域、倍率を指示する画像切出し設定指示手段を更に具備することを特徴とする。
【００２８】
また、請求項２０の発明は、請求項１５の発明において、前記ジョブエンドシートの生成を指示するジョブエンドシート生成指示手段を更に具備することを特徴とする。
【００２９】
また、請求項２１の発明は、印刷処理装置で処理した印刷ジョブを出力する画像出力装置において、前記印刷処理装置から送信された印刷ジョブを受信する印刷ジョブ受信手段と、前記印刷ジョブに含まれる印刷画像を出力する画像出力手段と、前記印刷ジョブ受信手段で受信した印刷ジョブに前記印刷処理装置で加工された加工印刷画像が含まれている場合、該印刷ジョブから該加工印刷画像を抽出する抽出手段と、前記画像出力手段における印刷画像の出力が完了した際に、前記抽出手段で抽出した加工印刷画像を添付したジョブエンドシートを生成するジョブエンドシート生成手段とを具備し、前記画像出力手段は、前記ジョブエンドシート生成手段で生成したジョブエンドシートを出力することを特徴とする。
【００３０】
また、請求項２２の発明は、請求項２１の発明において、前記ジョブエンドシート生成手段は、前記画像出力手段が出力した印刷画像のページに対応する加工画像をジョブエンドシートに添付することを特徴とする。
【００３１】
また、請求項２３の発明は、印刷ジョブを処理する印刷処理装置および該印刷ジョブを出力する画像出力装置の印刷処理方法において、前記印刷処理装置は、入力した画像データに基づいて印刷画像を生成し、該生成した印刷画像を加工し、該加工した印刷画像と前記印刷画像との印刷ジョブを作成し、該作成した前記印刷画像と前記加工した印刷画像との印刷ジョブを前記画像出力装置に送信し、前記画像出力装置は、前記印刷処理装置から送信された印刷ジョブを受信し、該受信した印刷ジョブに前記加工した印刷画像が含まれている場合、該印刷ジョブから該加工印刷画像を抽出し、前記印刷ジョブに含まれる印刷画像を出力し、前記印刷画像の出力が完了した際に、前記加工した印刷画像を添付したジョブエンドシートを生成し、該生成したジョブエンドシートを出力することを特徴とする。
【００３２】
また、請求項２４の発明は、請求項２３の発明において、前記印刷処理装置は前記印刷画像を加工する際に、前記印刷画像の縮小画像を生成し、該生成した縮小画像と前記印刷画像との印刷ジョブを作成することを特徴とする。
【００３３】
また、請求項２５の発明は、請求項２４の発明において、前記印刷処理装置は前記印刷画像を加工する際に、前記印刷画像または前記縮小画像から切出し画像を切り出し、該切り出した切出し画像と前記印刷画像との印刷ジョブを作成することを特徴とする。
【００３４】
また、請求項２６の発明は、請求項２５の発明において、前記印刷処理装置は、前記印刷画像または前記縮小画像から切り出す前記切出し画像の位置、領域、倍率を設定することを特徴とする。
【００３５】
また、請求項２７の発明は、請求項２６の発明において、前記切出し画像の位置、領域、倍率の設定を指示することを特徴とする。
【００３６】
また、請求項２８の発明は、請求項２３の発明において、前記印刷画像を生成する際に、前記ジョブエンドシートの生成を指示することを特徴とする。
【００３７】
また、請求項２９の発明は、請求項２３の発明において、前記画像出力装置は、前記出力した印刷画像のページに対応する加工画像をジョブエンドシートに添付することを特徴とする。
【００３８】
また、請求項３０の発明は、印刷処理装置で処理した印刷ジョブを画像出力装置が出力する印刷処理システムにおいて、前記印刷処理装置は、入力した画像データに基づいて印刷画像を生成する印刷画像生成手段と、前記印刷画像生成手段で生成した印刷画像を加工する印刷画像加工手段と、前記印刷画像加工手段で加工した印刷画像と前記印刷画像との印刷ジョブを作成する印刷ジョブ作成手段と、前記印刷ジョブ作成手段で作成した前記印刷画像と前記加工した印刷画像との印刷ジョブを前記画像出力装置に送信する印刷ジョブ送信手段とを具備し、前記画像出力装置は、前記印刷処理装置から送信された印刷ジョブを受信する印刷ジョブ受信手段と、前記印刷ジョブに含まれる印刷画像を出力する画像出力手段と、前記印刷ジョブ受信手段で受信した印刷ジョブに前記加工した印刷画像が含まれている場合、該印刷ジョブから該加工した印刷画像を抽出する抽出手段と、前記画像出力手段における印刷画像の出力が完了した際に、前記抽出手段で抽出した加工印刷画像を添付したジョブエンドシートを生成するジョブエンドシート生成手段とを具備し、前記画像出力手段は、前記ジョブエンドシート生成手段で生成したジョブエンドシートを出力することを特徴とする。
【００３９】
また、請求項３１の発明は、請求項３０の発明において、前記印刷画像加工手段は、前記印刷画像生成手段で生成した印刷画像の縮小画像を生成する縮小画像生成手段を具備し、前記印刷ジョブ作成手段は、前記縮小画像生成手段で生成した縮小画像と前記印刷画像との印刷ジョブを作成することを特徴とする。
【００４０】
また、請求項３２の発明は、請求項３１の発明において、前記印刷画像加工手段は、前記印刷画像または前記縮小画像から切出し画像を切り出す画像切出し手段を具備し、前記印刷ジョブ作成手段は、前記画像切出し手段で切り出した切出し画像と前記印刷画像との印刷ジョブを作成することを特徴とする。
【００４１】
また、請求項３３の発明は、請求項３２の発明において、前記画像切出し手段は、前記印刷画像または前記縮小画像から切り出す前記切出し画像の位置、領域、倍率を設定する画像切出し設定手段を具備することを特徴とする。
【００４２】
また、請求項３４の発明は、請求項３３の発明において、前記切出し設定手段が設定する前記切出し画像の位置、領域、倍率を指示する画像切出し設定指示手段を更に具備することを特徴とする。
【００４３】
また、請求項３５の発明は、請求項３０の発明において、前記ジョブエンドシートの生成を指示するジョブエンドシート生成指示手段を更に具備することを特徴とする。
【００４４】
また、請求項３６の発明は、請求項３０の発明において、前記ジョブエンドシート生成手段は、前記画像出力手段が出力した印刷画像のページに対応する加工画像をジョブエンドシートに添付することを特徴とする。
【００４５】
また、請求項３７の発明は、画像出力装置で出力する印刷ジョブを処理する印刷処理装置において、入力した画像データに基づいて印刷画像を生成する印刷画像生成手段と、前記印刷画像生成手段で生成した印刷画像を加工する印刷画像加工手段と、前記印刷画像の印刷ジョブを作成する印刷ジョブ作成手段と、前記印刷画像加工手段で加工した印刷画像と、前記印刷ジョブ作成手段で作成した印刷ジョブとを関連付けて保存する保存手段と、前記保存手段に保存された印刷ジョブの再印刷に関する制御を行う再印刷制御手段と、前記加工した印刷画像を表示する表示手段と、前記再印刷制御手段に対して前記保存手段に保存された印刷ジョブの再印刷を要求する再印刷要求手段と、前記印刷ジョブを前記画像出力装置に送信する印刷ジョブ送信手段と、を具備し、前記再印刷制御手段は、前記再印刷要求手段から再印刷の要求を受け付けると、前記加工した印刷画像を表示手段に表示することを特徴とする。
【００４６】
また、請求項３８の発明は、請求項３７の発明において、前記印刷画像加工手段は、前記印刷画像生成手段で生成した印刷画像の縮小画像を生成する縮小画像生成手段を具備することを特徴とする。
【００４７】
また、請求項３９の発明は、請求項３８の発明において、前記印刷画像加工手段は、前記印刷画像または前記縮小画像から切出し画像を切り出す画像切出し手段を具備することを特徴とする。
【００４８】
また、請求項４０の発明は、請求項３９の発明において、前記画像切出し手段は、前記印刷画像または前記縮小画像から切り出す前記切出し画像の位置、領域、倍率を設定する画像切出し設定手段を具備することを特徴とする。
【００４９】
また、請求項４１の発明は、請求項４０の発明において、前記切出し設定手段が設定する前記切出し画像の位置、領域、倍率を指示する画像切出し設定指示手段を更に具備することを特徴とする。
【００５０】
また、請求項４２の発明は、請求項３７の発明において、前記印刷画像加工手段に対して印刷画像の加工を指示する印刷画像加工指示手段を更に具備することを特徴とする。
【００５１】
また、請求項４３の発明は、画像出力装置で出力する印刷ジョブを処理する印刷処理方法において、入力した画像データに基づいて印刷画像を生成し、該生成した印刷画像を加工し、前記印刷画像の印刷ジョブを作成し、該作成した印刷画像の印刷ジョブを前記画像出力装置に送信し、前記加工した印刷画像と、前記印刷ジョブとを関連付けて保存し、該保存された印刷ジョブの再印刷の要求を受け付けると、前記加工した印刷画像を表示することを特徴とする。
【００５２】
また、請求項４４の発明は、請求項４３の発明において、前記印刷画像の加工は、前記印刷画像の縮小画像を生成することを特徴とする。
【００５３】
また、請求項４５の発明は、請求項４４の発明において、前記印刷画像の加工は、前記印刷画像または前記縮小画像から切出し画像を切り出すことを特徴とする。
【００５４】
また、請求項４６の発明は、請求項４５の発明において、前記切出し画像を切り出す際に、前記印刷画像または前記縮小画像から切り出す該切出し画像の位置、領域、倍率を設定することを特徴とする。
【００５５】
また、請求項４７の発明は、請求項４６の発明において、前記切出し画像の位置、領域、倍率の設定を指示することを特徴とする。
【００５６】
また、請求項４８の発明は、請求項４３の発明において、前記印刷画像の生成の際に該印刷画像の加工を指示することを特徴とする。
【００５７】
また、請求項４９の発明は、画像出力装置で出力する印刷ジョブを処理する印刷処理プログラムにおいて、入力した画像データに基づいて印刷画像を生成する処理と、該生成した印刷画像を加工する処理と、前記印刷画像の印刷ジョブを作成する処理と、該作成した印刷画像の印刷ジョブを前記画像出力装置に送信する処理と、前記加工した印刷画像と、前記印刷ジョブとを関連付けて保存する処理と、該保存された印刷ジョブの再印刷の要求を受け付けると、前記加工した印刷画像を表示する処理とをコンピュータに動作させることを特徴とする。
【００５８】
また、請求項５０の発明は、請求項４９の発明において、前記印刷画像を加工する際に、該印刷画像の縮小画像を生成する処理をコンピュータに動作させることを特徴とする。
【００５９】
また、請求項５１の発明は、請求項５０の発明において、前記印刷画像を加工する際に、該印刷画像または前記縮小画像から切出し画像を切り出す処理をコンピュータに動作させることを特徴とする。
【００６０】
また、請求項５２の発明は、請求項５１の発明において、前記切出し画像を切り出す際に、前記印刷画像または前記縮小画像から切り出す前記切出し画像の位置、領域、倍率を設定する処理をコンピュータに動作させることを特徴とする。
【００６１】
また、請求項５３の発明は、請求項５２の発明において、前記切出し画像の位置、領域、倍率の設定を指示する処理をコンピュータに動作させることを特徴とする。
【００６２】
また、請求項５４の発明は、請求項４９の発明において、前記印刷画像の生成の際に該印刷画像の加工を指示する処理をコンピュータに動作させることを特徴とする。
【発明の効果】
【００６３】
本発明によれば、切出しサムネール画像が添付されたジョブエンドシートを印刷することで、印刷ジョブの印刷の完了をユーザに対して確実に示すことが可能になるという効果を奏する。
【００６４】
更に、本発明によれば、保存された印刷ジョブの再印刷の際に、縮小画像等の情報を参照しながら再印刷すべき印刷ジョブの選択を容易にするという効果を奏する。
【発明を実施するための最良の形態】
【００６５】
以下、本発明の実施の形態について添付図面を参照して詳細に説明する。
【００６６】
本発明の実施の形態として、画像入力装置と印刷処理装置と画像出力装置とがネットワークを介して接続されている構成を一例にして説明する。
【００６７】
なお、画像入力装置の画像入力部若しくはクライアント装置等から印刷処理装置に送信される文書、図またはイメージ等のデータを画像データとし、印刷処理装置で作成され、画像出力装置に出力されるデータを印刷ジョブとする。ここで、印刷ジョブは、画像出力装置で印刷処理される印刷画像（例えば、ＰＤＬ［Page Description Language］）および当該印刷処理の制御に用いられる設定データを含んでいる。
【００６８】
また、画像出力装置において印刷される文書等のページについては、印刷処理装置で作成された印刷ジョブを用いて、画像出力装置で用紙上に印刷画像を印刷する際に用紙１枚に印刷される範囲を１ページとする。
【００６９】
図１は、本発明の実施の形態で用いる印刷処理システム１の全体構成の一例を示すブロック図である。
【００７０】
図１に示すように、印刷処理システム１は印刷処理装置２、画像入力装置３ａ、クライアント装置３ｂ、画像出力装置４がネットワーク５を介して接続されて構成される。なお、画像出力装置４は必ずしも複数必要なわけではない。
【００７１】
ここで、各装置について詳細に説明する。
【００７２】
印刷処理装置２は、画像入力装置３ａ若しくはクライアント装置３ｂ等から発行される印刷データを受け付け、受け付けた印刷データに基づいて印刷ジョブを作成し、作成した印刷ジョブを指定された画像出力装置４に送信する。
【００７３】
画像入力装置３ａは、原稿を読み取ることで画像データを入力し、入力した画像データを印刷処理装置２に送信する。
【００７４】
クライアント装置３ｂは、アプリケーションプログラムで作成された画像データ（若しくは文書データ）を印刷処理装置２で印刷装置を行うことができる印刷ジョブを生成し、生成した印刷データを印刷処理装置２に送信する。
【００７５】
画像出力装置４は、印刷処理装置２から受信した印刷ジョブに含まれる制御データに基づき、印刷ジョブに含まれる印刷画像を用紙上に形成する。
【００７６】
なお、印刷処理装置２は画像入力装置３ａおよび画像出力装置４のいずれか一方、若しくは両方の機能を包含するものであってもよい。
【００７７】
次に、印刷処理装置２、画像入力装置３ａ、クライアント装置３ｂ、画像出力装置４のそれぞれの構成について、印刷処理装置２がジョブエンドシート生成部を有する実施例１を一例にして詳細に説明する。
【実施例１】
【００７８】
図２は、本発明の実施例１における印刷処理装置２、画像入力装置３ａ、クライアント装置３ｂ、画像出力装置４の機能的な構成を示すブロック図である。
【００７９】
印刷処理装置２の機能的な構成について詳細に説明する。
【００８０】
図２に示すように、印刷処理装置２は、画像データ受信部６、画像データ変換部７、サムネール画像生成部８、画像切出し部９、印刷ジョブ作成部１０、印刷ジョブ送信部１１、印刷結果情報受信部１２、印刷完了ページ数比較部１３、ジョブエンドシート生成部１４１、指示部１５、表示部１６を具備して構成される。
【００８１】
ここで、各構成部について詳細に説明する。
【００８２】
画像データ受信部６は、画像入力装置３ａから送信される画像データ、またはクライアント装置３ｂから送信される画像データ（若しくは文書データ）を受信する処理を行う。
【００８３】
画像データ変換部７は、画像データ受信部６が受信した画像データを画像出力装置４が直接認識することができるプリンタ制御コードを用いて変換する処理を行い、更に画像データの変換を行う際に予定印刷ページ数をカウントし、予定印刷ページ数を記憶する処理、若しくは印刷ジョブに含める処理を行う。以後、変換した画像データを印刷画像とする。
【００８４】
サムネール画像生成部８は、画像データ変換部７で変換された印刷画像の縮小見本であるサムネール画像を生成する処理を行う。
【００８５】
画像切出し部９は、サムネール画像生成部８で生成したサムネール画像の一部を切り出しする処理を行う。
【００８６】
印刷ジョブ作成部１０は、印刷画像に基づいて印刷ジョブを作成する処理を行う。
【００８７】
印刷ジョブ送信部１１は、印刷ジョブ作成部１０で作成した印刷ジョブを画像出力装置４に送信する処理を行う。
【００８８】
印刷結果情報取得部１２は、画像出力装置４が保持する印刷結果情報を取得する処理を行う。
【００８９】
印刷完了ページ数比較部１３は、印刷結果情報受信部１２で取得した印刷結果情報に含まれている印刷完了ページ数と、印刷ジョブに含まれている（若しくは、印刷処理装置に記憶している）予定印刷ページ数とを比較する。
【００９０】
ジョブエンドシート生成部１４１は、印刷ジョブ名、印刷ページ数、コメント等、および画像切出し部９で切り出した切出しサムネール画像を添付したジョブエンドシートを生成する処理を行う。
【００９１】
指示部１５は、ジョブエンドシートの生成、サムネール画像から切り出す切出しサムネール画像の位置、領域、倍率等を指示する処理を行う。
【００９２】
表示部１６は、印刷ジョブが未完了等の警告を表示する処理を行う。
【００９３】
次に、画像入力装置３ａの機能的な構成について詳細に説明する。
【００９４】
図２に示すように、画像入力装置３ａは、画像入力部１７、設定部１８を具備して構成される。
【００９５】
ここで、各構成部について詳細に説明する。
【００９６】
画像入力部１７は、原稿を読み取って画像データを生成する処理を行う。
【００９７】
設定部１８は、ユーザによる画像データの出力先の指定、画像データの印刷条件の指定等の各種設定を受け付け、受け付けた各種設定に基づいて設定データを生成する。
【００９８】
次に、画像出力装置４の機能的な構成について詳細に説明する。
【００９９】
図２に示すように、画像出力装置４は、印刷ジョブ受信部１９、印刷部２０を具備して構成される。
【０１００】
ここで、各構成部について詳細に説明する。
【０１０１】
印刷ジョブ受信部１９は、印刷処理装置２から送信された印刷ジョブを受信する処理を行う。
【０１０２】
印刷部２０は、印刷ジョブ受信部１９が受信した印刷ジョブに含まれる制御データに基づき、印刷ジョブに含まれる印刷画像を用紙上に形成する。
【０１０３】
次に、印刷処理装置２の指示部１５、画像切出し部９のそれぞれが有する機能について詳細に説明する。
【０１０４】
図３は、指示部１５、画像切出し部９のそれぞれが有する機能を示すブロック図である。
【０１０５】
指示部が有する機能について詳細に説明する。
【０１０６】
図３に示すように、指示部１５は、ジョブエンドシート生成指示手段２１、画像切出し位置指示手段２２を有している。
【０１０７】
ここで、各機能について詳細に説明する、
ジョブエンドシート生成指示手段２１は、ジョブエンドシートの生成を指示する機能である。
【０１０８】
画像切出し設定指示手段２２は、サムネール画像から切り出す切出しサムネール画像の位置、領域、倍率等の設定を指示する機能である。
【０１０９】
次に、画像切出し部９が有する機能について詳細に説明する。
【０１１０】
図３に示すように、画像切出し部９は、画像切出し位置設定手段２３を有している。
【０１１１】
ここで、各機能について詳細に説明する。
【０１１２】
画像切出し設定手段２３は、指示部１５の画像切出し設定指示手段２２の指示に従って、サムネール画像から切り出す切出しサムネール画像の位置、領域、倍率等を設定する機能である。
【０１１３】
次に、印刷が完了するとジョブエンドシートを印刷するように指示された際に、印刷処理装置２、画像入力装置３ａ、クライアント装置３ｂ、画像出力装置４が行う機能的な動作について図２および図３を参照して詳細に説明する。
【０１１４】
画像入力装置３ａの画像入力部１７は原稿を読み取って画像データを生成するとともに、設定部１８は画像データの出力先の指定、画像データの印刷条件の指定等の各種設定に基づいて設定データを生成し、生成した画像データおよび設定データを印刷処理装置２に送信する。または、クライアント装置３ｂはアプリケーションプログラムで作成された画像データ（若しくは文書データ）を印刷処理装置２に送信する。
【０１１５】
印刷処理装置２の画像データ受信部６は、画像入力装置３ａから送信された画像データおよび設定データ、またはクライアント装置３ｂから送信された画像データ（若しくは文書データ）を受信すると、受信した画像データおよび設定データを画像データ変換部７に渡し、画像データ変換部７は画像データおよび各種設定を受け付けると、受け付けた設定データに基づき、プリンタ制御コードを用いて画像データを変換して印刷画像を生成する。
【０１１６】
ここで、指示部１５のジョブエンドシート生成指示手段２１によりジョブエンドシートの生成が指示されると、サムネール画像生成部８は画像データ変換部７から印刷画像を取り出し、取り出した印刷画像のサムネール画像を生成し、生成したサムネール画像を画像切出し部９に渡し、画像切出し部９はサムネール画像を受け付けると、指示部１５の画像切出し設定指示手段２２により指示された切出しサムネール画像の位置、領域、倍率等の設定に従って、画像切出し設定手段２３はサムネール画像から切り出す位置、領域、倍率等を設定する。そして、画像切出し部９は画像切出し設定手段２３により設定された位置、領域、倍率等に従って、サムネール画像から切出しサムネール画像を切り出し、切り出した切出しサムネール画像をジョブエンドシート生成部１４１に渡し、ジョブエンドシート生成部１４１は切出しサムネール画像を受け付けると、受け付けた切出しサムネール画像を一時保持する。
【０１１７】
画像データ変換部７は印刷画像および設定データを印刷ジョブ作成部１０に渡し、印刷ジョブ作成部１０は印刷画像および設定データを受け付けると、受け付けた印刷画像および設定データに基づいて印刷ジョブを作成し、作成した印刷ジョブを印刷ジョブ送信部１１に渡し、印刷ジョブ送信部１１は印刷ジョブを受け付けると、受け付けた印刷ジョブを画像出力装置４に送信する。
【０１１８】
画像出力装置４の印刷ジョブ受信部１９は印刷処理装置２から送信された印刷ジョブを受信すると、受信した印刷ジョブを印刷部２０に渡し、印刷部２０は印刷ジョブを受け付けると、受け付けた印刷ジョブに含まれる制御データに基づき、印刷ジョブに含まれる印刷画像を用紙上に形成し、印刷が完了すると、印刷ジョブ全体の印刷結果情報を保持する。
【０１１９】
印刷処理装置２の印刷結果情報取得部１２は画像出力装置４から印刷結果情報を取得し、取得した印刷結果情報を印刷完了ページ数比較部１３に渡し、印刷完了ページ数比較部１３は印刷結果情報を受け付けると、印刷ジョブ作成部１０から印刷ジョブを取り出し、取り出した印刷ジョブに含まれている（若しくは、印刷処理装置に記憶している）予定印刷ページ数と、印刷結果情報に含まれている印刷完了ページ数とを比較する。
【０１２０】
ここで、「印刷完了ページ数≠予定印刷ページ数」である場合、印刷完了ページ数比較部１３は印刷未完了を示す警告を表示部に表示する。
【０１２１】
ここで、「印刷完了ページ数＝予定印刷ページ数」である場合、印刷完了ページ数比較部１３は印刷完了をジョブエンドシート生成部１４１に通知し、ジョブエンドシート生成部１４１は印刷完了の通知を受け付けると、印刷ジョブ作成部１０から印刷ジョブを取り出し、取り出した印刷ジョブに含まれている印刷ジョブ名、印刷ページ数、コメント等、および一時保持していた切出しサムネール画像を添付したジョブエンドシートを生成する。なお、切出しサムネール画像をジョブエンドシートに添付する際に、当該切出しサムネール画像をどのように配置するかを計算し、その結果、１ページに収まらない場合は複数ページ（または、両面印刷等）のジョブエンドシートを生成する。
【０１２２】
ジョブエンドシート生成手段１４１は生成したジョブエンドシートを印刷ジョブ作成部１０に渡し、印刷ジョブ作成部１０はジョブエンドシートを受け付けると、受け付けたジョブエンドシートに基づいてジョブエンドシートの印刷ジョブを作成し、作成したジョブエンドシートの印刷ジョブを印刷ジョブ送信部１１に渡し、印刷ジョブ送信部１１はジョブエンドシートの印刷ジョブを受け付けると、受け付けたジョブエンドシートの印刷ジョブを画像出力装置４に送信する。
【０１２３】
画像出力装置４の印刷ジョブ受信部２９は印刷処理装置２から送信されたジョブエンドシートの印刷ジョブを受け付けると、受け付けたジョブエンドシートの印刷ジョブを印刷部２０に渡し、印刷部２０はジョブエンドシートの印刷ジョブを受け付けると、受け付けたジョブエンドシートの印刷ジョブに基づいてジョブエンドシートを用紙上に形成する。
【０１２４】
次に、印刷処理装置２で行われる印刷処理について図４に示すフローチャートを参照して説明する。
【０１２５】
画像入力装置またはクライアント装置から画像データを受信し（ステップＳ４０１）、受信した画像データを変換して印刷画像を生成し（ステップＳ４０２）、ジョブエンドシート生成指示が有る場合（ステップＳ４０３でＹＥＳ）、印刷画像のサムネール画像を生成し（ステップＳ４０４）、サムネール画像から切出しサムネール画像を切り出し（ステップＳ４０５）、印刷画像の印刷ジョブを作成し（ステップＳ４０６）、作成した印刷ジョブを画像出力装置に送信する（ステップＳ４０７）。
【０１２６】
画像出力装置は印刷ジョブを受信し、受信した印刷ジョブに基づいて印刷画像を印刷し、印刷が完了すると、印刷結果情報を保持する（ステップＳ４０８）。
【０１２７】
画像出力装置から印刷結果情報を取得し（ステップＳ４０９）、印刷結果情報に含まれている印刷完了ページ数と、印刷ジョブに含まれている（若しくは、印刷処理装置に記憶している）予定印刷ページ数とを比較する（ステップＳ４１０）。
【０１２８】
「印刷完了ページ数＝予定印刷ページ数」である場合（ステップＳ４１０でＹＥＳ）、切出しサムネール画像を添付したジョブエンドシートを生成し（ステップＳ４１１）、生成したジョブエンドシートの印刷ジョブを作成し（ステップＳ４１２）、作成したジョブエンドシートの印刷ジョブを画像出力装置に送信する（ステップＳ４１３）。
【０１２９】
画像出力装置はジョブエンドシートの印刷ジョブを受信し、受信したジョブエンドシートの印刷ジョブに基づいてジョブエンドシートを印刷し（ステップＳ４１４）、印刷処理手順を終了する。
【０１３０】
また、ステップＳ４１０において、「印刷完了ページ数≠予定印刷ページ数」である場合（ステップＳ４１０でＮＯ）、警告を表示し（ステップＳ４１５）、印刷処理手順を終了する。
【０１３１】
また、ステップＳ４０３において、ジョブエンドシート生成指示が無い場合（ステップＳ４０３でＮＯ）、印刷画像の印刷ジョブを作成し（ステップＳ４１６）、作成した印刷ジョブを画像出力装置に送信する（ステップＳ４１７）。
【０１３２】
画像出力装置は印刷ジョブを受信し、受信した印刷ジョブに基づいて印刷画像を印刷し（ステップＳ４１８）、印刷処理手順を終了する。
【０１３３】
次に、切出しサムネール画像をジョブエンドシートに添付する処理について具体的な実施例を参照して詳細に説明する。
【０１３４】
図５は、サムネール画像２４の一例を示す図である。
【０１３５】
図５に示すように、サムネール画像２４の図面番号「図面  １０５４２−１」が表記されている範囲２５を切出しサムネール画像として切り出す範囲と設定している。これは、図面系の文書は１つ１つの図面に対して図面番号が同一の場所に表記されていることが一般的であるため、図面系の文書を印刷する際には、図面番号が表記された範囲を切出しサムネール画像とするのが効果的である。
【０１３６】
図６は、ジョブエンドシート２６の一例を示す図である。
【０１３７】
図６に示すように、ジョブエンドシート２６には各ページのサムネール画像から切り出した切出しサムネール画像２７が添付されている。例えば、ジョブエンドシート２６には図５に示す図面番号「図面  １０５４２−１」が表記されている範囲２５の切出しサムネール画像２７が添付されているので、ユーザはジョブエンドシート２６を確認することで、図５に示すサムネール画像２４に対する印刷画像の印刷が完了したものだと確認することができる。
【０１３８】
更に、他の図面（図面番号「図面  １０５４２−２」〜「図面  １０５４２−３０」）の切出しサムネール画像もジョブエンドシート２６に添付されているので、ユーザはジョブエンドシート２６を確認することで、他の図面も印刷が完了したものだと確認することができる。
【０１３９】
なお、本発明は、上記で説明した実施例１のように、ジョブエンドシートにサムネール画像の一部を添付する構成に限定する必要はなく、例えば、ジョブエンドシートに印刷画像の一部を切り出した画像を添付する構成、またはジョブエンドシートにサムネール画像そのままを添付する構成でも適用可能である。
【０１４０】
また、本発明は、上記で説明した実施例１のように、画像出力装置４の印刷完了時にジョブエンドシートを作成する構成に限定する必要はなく、例えば、印刷ジョブの作成時にジョブエンドシートを作成する構成も適用可能であり、画像出力装置４の印刷時にジョブエンドシートを作成する構成も適用可能である。
【０１４１】
また、本発明は、上記で説明した実施例１のように、印刷ジョブ毎にジョブエンドシートの生成を指示する構成に限定する必要はなく、例えば、印刷処理装置２が管理している画像出力装置４に静的にジョブエンドシートを生成する構成も適用可能である。
【０１４２】
また、本発明は、上記で説明した実施例１における印刷処理装置２と同様の処理を行うことが可能な印刷処理プログラム（プリンタドライバ）を一般的なＰＣ（Personal Computer）等の汎用電子計算機にインストールする構成でも適用可能である。
【０１４３】
次に、印刷処理装置２、画像入力装置３ａ、クライアント装置３ｂ、画像出力装置４のそれぞれの構成について、画像出力装置がジョブエンドシート生成部を有する実施例２を一例にして詳細に説明する。
【実施例２】
【０１４４】
図７は、本発明の実施例２における印刷処理装置２、画像入力装置３ａ、クライアント装置３ｂ、画像出力装置４の機能的な構成を示すブロック図である。なお、図７において、本発明の実施例１における印刷処理装置２、画像入力装置３ａ、クライアント装置３ｂ、画像出力装置４の構成部と同様の機能を果たす構成部分には同一の符号を付している。
【０１４５】
印刷処理装置２の機能的な構成について詳細に説明する。
【０１４６】
図７に示すように、印刷処理装置２は、画像入力装置３ａから画像データまたはクライアント装置３ｂから画像データ（若しくは文書データ）を受信する画像データ受信部６、画像データをプリンタ制御コードを用いて変換して印刷画像を生成する画像データ変換部７、印刷画像のサムネール画像を生成するサムネール画像生成部８、ジョブエンドシートの生成を指示する機能であるジョブエンドシート生成指示手段２１、切出しサムネール画像の設定を指示する機能である画像切出し設定指示手段２２を有する指示部１５、サムネール画像の一部を切り出し、指示部１５の画像切出し設定指示手段２２の指示に従って、切出しサムネール画像を設定する機能である画像切出し設定手段２３を有する画像切出し部９、印刷画像に基づいて印刷ジョブを作成する印刷ジョブ作成部１０、印刷ジョブを画像出力装置４に送信する印刷ジョブ送信部１１を具備して構成される。
【０１４７】
次に、画像入力装置２の機能的な構成について詳細に説明する。
【０１４８】
図７に示すように、画像入力装置３は、原稿を読み取って画像データを生成する画像入力部１７、受け付けた各種設定に基づいて設定データを生成する設定部１８を具備して構成される。
【０１４９】
次に、画像出力装置４の機能的な構成について詳細に説明する。
【０１５０】
図７に示すように、画像出力装置４は、印刷処理装置２から印刷ジョブを受信する印刷ジョブ受信部１９、抽出部２８、印刷ジョブに含まれる印刷画像を用紙上に形成する印刷部２０、ジョブエンドシート生成部１４２を具備して構成される。
【０１５１】
ここで、抽出部２８およびジョブエンドシート生成部１４２について詳細に説明する。  抽出部２８は、印刷ジョブ受信部１９が受信した印刷ジョブに含まれる印刷ジョブ名、印刷ページ数、コメント等、および切出しサムネール画像を抽出する処理を行う。
【０１５２】
ジョブエンドシート生成部１４２は、抽出部２８で抽出した印刷ジョブ名、印刷ページ数、コメント等、および切出しサムネール画像を添付したジョブエンドシートを生成する処理を行う。
【０１５３】
次に、印刷が完了するとジョブエンドシートを印刷するように指示された際に、印刷処理装置２、画像入力装置３ａ、クライアント装置３ｂ、画像出力装置４が行う機能的な動作について図７を参照して詳細に説明する。
【０１５４】
画像入力装置３ａの画像入力部１７は原稿を読み取って画像データを生成とともに、設定部は画像データの出力先の指定、画像データの印刷条件の指定等の各種設定に基づいて設定データを生成し、生成した画像データおよび設定データを印刷処理装置２に送信する。または、クライアント装置３ｂはアプリケーションプログラムで作成された画像データ（若しくは文書データ）を印刷処理装置２に送信する。
【０１５５】
印刷処理装置２の画像データ受信部６は画像入力装置３ａから送信された画像データおよび設定データ、またはクライアント装置３ｂから送信された画像データ（若しくは文書データ）を受信すると、受信した画像データおよび設定データを画像データ変換部７に渡し、画像データ変換部７は画像データおよび各種設定を受け付けると、受け付けた設定データに基づき、プリンタ制御コードを用いて画像データを変換して印刷画像を生成する。
【０１５６】
ここで、指示部１５のジョブエンドシート生成指示手段２１によりジョブエンドシートの生成が指示されると、サムネール画像生成部８は画像データ変換部７から印刷画像を取り出し、取り出した印刷画像のサムネール画像を生成し、生成したサムネール画像を画像切出し部９に渡し、画像切出し部９はサムネール画像を受け付けると、指示部１５の画像切出し設定指示手段２２により指示された切出しサムネール画像の位置、領域、倍率等の設定に従って、画像切出し設定手段２３はサムネール画像から切り出す位置、領域、倍率等を設定する。そして、画像切出し部９は画像切出し設定手段２３により設定された位置、領域、倍率等に従って、サムネール画像から切出しサムネール画像を切り出し、切り出した切出しサムネール画像を印刷ジョブ作成部１０に渡す。
【０１５７】
画像データ変換部７は印刷画像および設定データを印刷ジョブ作成部１０に渡し、印刷ジョブ作成部１０は画像データ変換部７から印刷画像および設定データと、画像切出し部９から切出しサムネール画像とを受け付けると、受け付けた印刷画像、切出しサムネール画像および設定データに基づいて印刷ジョブを作成し、作成した印刷ジョブを印刷ジョブ送信部１１に渡し、印刷ジョブ送信部１１は印刷ジョブを受け付けると、受け付けた印刷ジョブを画像出力装置４に送信する。
【０１５８】
画像出力装置４の印刷ジョブ受信部１９は印刷処理装置２から送信された印刷ジョブを受信すると、受信した印刷ジョブを抽出部２８に渡し、抽出部２８は印刷ジョブを受け付けると、受け付けた印刷ジョブに含まれる印刷ジョブ名、印刷ページ数、コメント等、および切出しサムネール画像を抽出し、抽出した印刷ジョブ名、印刷ページ数、コメント等、および切出しサムネール画像をジョブエンドシート生成部１４２に渡し、ジョブエンドシート生成部１４２は印刷ジョブ名、印刷ページ数、コメント等、および切出しサムネール画像を受け付けると、受け付けた印刷ジョブ名、印刷ページ数、コメント等、および切出しサムネール画像を一時保持する。
【０１５９】
そして、抽出部２８は印刷ジョブに含まれる印刷画像および設定データを印刷部２０に渡し、印刷部２０は印刷画像および設定データを受け付けると、受け付けた制御データに基づき、印刷画像を用紙上に形成する。
【０１６０】
ここで、印刷部２０はページ毎の印刷完了時にページの印刷完了をジョブエンドシート生成部１４２に通知し、ジョブエンドシート生成部１４２はページの印刷完了の通知を受け付けると、当該ページに対応する切出しサムネール画像をジョブエンドシートに添付する。
【０１６１】
そして、印刷部２０の印刷が完了すると、ジョブエンドシート生成部１４２は印刷ジョブ名、印刷ページ数、コメント等、および印刷が完了したページに対応する切出しサムネール画像を添付したジョブエンドシートを生成する。なお、切出しサムネール画像をジョブエンドシートに添付する際に、当該切出しサムネール画像をどのように配置するかを計算し、その結果、１ページに収まらない場合は複数ページ（または、両面印刷等）のジョブエンドシートを生成する。
【０１６２】
ジョブエンドシート生成部１４２は生成したジョブエンドシートを印刷部２０に渡し、印刷部２０はジョブエンドシートを受け付けると、受け付けたジョブエンドシートを用紙上に形成する。
【０１６３】
次に、印刷処理装置２で行われる印刷処理について図８に示すフローチャートを参照して説明する。
【０１６４】
画像入力装置またはクライアント装置から画像データを受信し（ステップＳ８０１）、受信した画像データを変換して印刷画像を生成し（ステップＳ８０２）、ジョブエンドシート生成指示が有る場合（ステップＳ８０３でＹＥＳ）、印刷画像のサムネール画像を生成し（ステップＳ８０４）、サムネール画像から切出しサムネール画像を切り出し（ステップＳ８０５）、印刷画像と切出しサムネール画像の印刷ジョブを作成し（ステップＳ８０６）、作成した印刷ジョブを画像出力装置に送信し（ステップＳ８０７）、印刷処理手順を終了する。
【０１６５】
また、ステップＳ８０３において、ジョブエンドシート作成指示が無い場合（ステップＳ８０３でＮＯ）、印刷画像の印刷ジョブを作成し（ステップＳ８０８）、作成した印刷ジョブを画像出力装置に送信し（ステップＳ８０７）、印刷処理手順を終了する。
【０１６６】
次に、画像出力装置４で行われる印刷処理について図９に示すフローチャートを参照して説明する。
【０１６７】
印刷処理装置から印刷ジョブを受信し（ステップＳ９０１）、受信した印刷ジョブに切出しサムネール画像が有るか否か確認する（ステップＳ９０２）。
【０１６８】
切出しサムネール画像が有る場合（ステップＳ９０２でＹＥＳ）、切出しサムネール画像を抽出し（ステップＳ９０３）、「Ｎ＝０」に設定し（ステップＳ９０４）、「Ｎ＝Ｎ＋１」に設定し（ステップＳ９０５）、印刷画像のページＮを印刷する（ステップＳ９０６）。
【０１６９】
ページＮの印刷が完了した場合（ステップＳ９０７でＹＥＳ）、ページＮの切出しサムネール画像をジョブエンドシートに添付する（ステップＳ９０８）。
【０１７０】
また、ステップＳ９０７において、ページＮの印刷が完了しない場合（ステップＳ９０７でＮＯ）、ステップＳ９０９に進む。
【０１７１】
Ｎが最終ページではない場合（ステップＳ９０９でＮＯ）、ステップＳ９０５に戻る。
【０１７２】
Ｎが最終ページである場合（ステップＳ９０９でＹＥＳ）、ジョブエンドシートを生成し（ステップＳ９１０）、生成したジョブエンドシートを印刷し（ステップＳ９１１）、印刷処理手順を終了する。
【０１７３】
また、ステップＳ９０２において、切出しサムネール画像が無い場合（ステップＳ９０２でＮＯ）、印刷画像を印刷し（ステップＳ９１２）、印刷が完了すると（ステップＳ９１３でＹＥＳ）、印刷処理手順を終了する。
【０１７４】
なお、本発明は、上記で説明した実施例２のように、ジョブエンドシートにサムネール画像の一部を添付する構成に限定する必要はなく、例えば、ジョブエンドシートに印刷画像の一部を切り出した画像を添付する構成、またはジョブエンドシートにサムネール画像そのままを添付する構成でも適用可能である。
【０１７５】
また、本発明は、上記で説明した実施例２のように、印刷ジョブ毎にジョブエンドシートの生成を指示する構成に限定する必要はなく、例えば、印刷処理装置２が管理している画像出力装置４に静的にジョブエンドシートを生成する構成も適用可能である。
【０１７６】
また、本発明は、上記で説明した実施例２のように、印刷が完了した印刷画像のページに対応する切出しサムネール画像をジョブエンドシートに添付する構成に限定する必要はなく、例えば、印刷画像の全ページが印刷完了した時に全ての切出しサムネール画像を添付したジョブエンドシートを印刷する構成も適用可能である。
【０１７７】
また、本発明は、上記で説明した実施例２のように、印刷画像と切出しサムネール画像とを別のファイルとする構成に限定する必要はなく、例えば、印刷画像内に切出しサムネール画像を埋め込む構成も適用可能である。
【０１７８】
次に、印刷処理装置２、クライアント装置３ｂ、画像出力装置４のそれぞれの構成について、印刷処理装置２が本発明に係る印刷処理プログラム（以後、プリンタドライバと称する）をインストールしている実施例３を一例にして詳細に説明する。
【実施例３】
【０１７９】
図１０は、本発明の実施例３における印刷処理装置２、クライアント装置３ｂ、画像出力装置４の機能的な構成を示すブロック図である。なお、図１０において、本発明の実施例１および実施例２における印刷処理装置２、クライアント装置３ｂ、画像出力装置４の構成部と同様の機能を果たす構成部分には同一の符号を付している。
【０１８０】
印刷処理装置２の機能的な構成について詳細に説明する。
【０１８１】
図１０に示すように、印刷処理装置２は、クライアント装置３ｂから印刷ジョブを受信する印刷ジョブ受信部１９１、印刷ジョブを保存する印刷ジョブ保存部２９、印刷ジョブ保存部２９に保存された印刷ジョブの再印刷の制御を行う再印刷制御部３０、印刷ジョブ保存部２９に保存された印刷ジョブの再印刷の指示、当該印刷ジョブのサムネール画像の表示等を行うＵＩ部３１、印刷ジョブを画像出力装置４に送信する印刷ジョブ送信部１１２を具備して構成される。なお、実施例３においては、印刷ジョブの再印刷の指示および印刷ジョブのサムネール画像の表示をＵＩ部３１で行う構成を適用しているが、当該構成に限定する必要はなく、再印刷の指示とサムネール画像の表示とを別々に行う構成も適用可能である。
【０１８２】
次に、クライアント装置３ｂの機能的な構成について詳細に説明する。
【０１８３】
図１０に示すように、クライアント装置３ｂにはプリンタドライバ３２がインストールされ、クライアント装置３ｂはアプリケーションプログラムによって実現される各種のアプリケーション３３、各種設定に基づいて設定データを生成する設定部１８から構成され、これらは、図示していないＯＳ（Operating System）の制御下で、当該ＯＳの機能を利用して各種処理を実行する。
【０１８４】
図１０に示すように、プリンタドライバ３２は、アプリケーション３３から画像データ（若しくは文書データ）を受け付ける画像データ受付部３４、画像データをプリンタ制御コードを用いて変換して印刷画像を生成する画像データ変換部７、印刷画像のサムネール画像を生成するサムネール画像生成部８、サムネール画像の生成を指示する機能であるサムネール画像生成指示手段３５、切出しサムネール画像の設定（例えば、サムネール画像を作成するページ、サムネール画像を作成する画像データの位置または領域、サムネール画像として切り出した切出しサムネール画像の拡大／縮小倍率等）を指示する機能である画像切出し設定指示手段２２を有する指示部１５、サムネール画像の一部を切り出し、指示部１５の画像切出し設定指示手段２２の指示に従って、切出しサムネール画像を設定する機能である画像切出し設定手段２３を有する画像切出し部９、印刷画像に基づいて印刷ジョブを作成する印刷ジョブ作成部１０、印刷ジョブを印刷処理装置２に送信する印刷ジョブ送信部１１１を具備して構成される。
【０１８５】
次に、画像出力装置４の機能的な構成について詳細に説明する。
【０１８６】
図１０に示すように、画像出力装置４は、印刷処理装置２から印刷ジョブを受信する印刷ジョブ受信部１９２、印刷ジョブに含まれる印刷画像を用紙上に形成する印刷部２０を具備して構成される。
【０１８７】
次に、クライアント装置３ｂのアプリケーション３３により作成した画像データ（若しくは文書データ）を画像出力装置４で印刷するように指示された際に、印刷処理装置２、クライアント装置３ｂ、画像出力装置４が行う機能的な動作について図１０を参照して詳細に説明する。
【０１８８】
クライアント装置３ｂにインストールされたプリンタドライバ３２の画像データ受付部３４はアプリケーション３３から画像データを受け付けるとともに、設定部１８から画像データの印刷条件の指定等の各種設定に基づいて生成した設定データを受け付け、受け付けた画像データおよび設定データを画像データ変換部７に渡し、画像データ変換部７は画像データおよび設定データを受け付けると、受け付けた設定データに基づき、プリンタ制御コードを用いて画像データを変換して印刷画像を生成する。
【０１８９】
ここで、プリンタドライバ３２の指示部１５のサムネール画像生成指示手段３５によりサムネール画像の生成が指示されると、サムネール画像生成部８は画像データ変換部７から印刷画像を取り出し、取り出した印刷画像のサムネール画像を生成し、生成したサムネール画像を画像切出し部９に渡し、画像切出し部９はサムネール画像を受け付けると、指示部１５の画像切出し設定指示手段２２により指示された切出しサムネール画像の位置、領域、倍率等の設定に従って、画像切出し設定手段２３はサムネール画像から切り出す位置、領域、倍率等を設定する。そして、画像切出し部９は画像切出し設定手段２３により設定された位置、領域、倍率等に従って、サムネール画像から切出しサムネール画像を切り出し、切り出した切出しサムネール画像を印刷ジョブ作成部１０に渡す。
【０１９０】
プリンタドライバ３２の画像データ変換部７は印刷画像および設定データを印刷ジョブ作成部１０に渡し、印刷ジョブ作成部１０は画像データ変換部７から印刷画像および設定データと、画像切出し部９から切出しサムネール画像とを受け付けると、受け付けた印刷画像、切出しサムネール画像および設定データに基づいて印刷ジョブを作成し、作成した印刷ジョブを印刷ジョブ送信部１１に渡し、印刷ジョブ送信部１１は印刷ジョブを受け付けると、受け付けた印刷ジョブを印刷処理装置２に送信する。
【０１９１】
印刷処理装置２の印刷ジョブ受信部１９１はクライアント装置３ｂから印刷ジョブを受信すると、受信した印刷ジョブを印刷ジョブ保存部２９に保存するとともに、印刷ジョブを印刷ジョブ送信部１１２に渡し、印刷ジョブ送信部１１２は印刷ジョブを受け取ると、受け取った印刷ジョブを画像出力装置４に送信する。
【０１９２】
画像出力装置４の印刷ジョブ受信部１９は印刷処理装置２から送信された印刷ジョブを受信すると、受信した印刷ジョブに含まれる印刷画像および設定データを印刷部２０に渡し、印刷部２０は印刷画像および設定データを受け付けると、受け付けた設定データに基づき、印刷画像を用紙上に形成する。
【０１９３】
次に、印刷処理装置２に保存された印刷ジョブを再印刷するように指示された際に、印刷処理装置２、画像出力装置４が行う機能的な動作について図１０を参照して詳細に説明する。
【０１９４】
印刷処理装置２のＵＩ部３１は保存された印刷ジョブの再印刷の指示を受け付けると、再印刷の指示を受け付けた旨を再印刷制御部３０に通知し、再印刷制御部３０は再印刷の指示を受け付けた通知を受け付けると、印刷ジョブ保存部２９から保存された印刷ジョブのサムネール画像（印刷ジョブにサムネール画像が含まれていない場合は印刷ジョブの情報）を取り出し、取り出したサムネール画像をＵＩ部３１に表示する。
【０１９５】
なお、ＵＩ部３１にサムネール画像を表示するとともに、印刷ジョブ名、印刷ジョブに含まれるファイル名等も同時に表示することにより、再印刷すべき印刷ジョブを選択するのを容易にすることができる。更に、ＵＩ部３１に表示するサムネール画像は印刷ジョブに含まれるサムネール画像を全て表示する制御でも良いし、印刷ジョブを識別できる最小限のサムネール画像（例えば、１ページ目の画像に対応したサムネール画像）を表示する制御でも良い。
【０１９６】
そして、再印刷を指示したユーザはＵＩ部３１に表示されたサムネール画像から再印刷する印刷ジョブを特定する。
【０１９７】
印刷処理装置２のＵＩ部３１は再印刷する印刷ジョブが特定されると、特定された印刷ジョブについて再印刷制御部３０に通知し、再印刷制御部３０は特定された印刷ジョブについての通知を受け付けると、印刷ジョブ保存部２９から特定された印刷ジョブを取り出し、取り出した印刷ジョブを印刷ジョブ送信部１１２に渡し、印刷ジョブ送信部１１２は印刷ジョブを受け取ると、受け取った印刷ジョブを画像出力装置４に送信する。
【０１９８】
画像出力装置４の印刷ジョブ受信部１９は印刷処理装置２から送信された印刷ジョブを受信すると、受信した印刷ジョブに含まれる印刷画像および設定データを印刷部２０に渡し、印刷部２０は印刷画像および設定データを受け付けると、受け付けた設定データに基づき、印刷画像を用紙上に形成する。
【０１９９】
次に、クライアント装置３ｂで行われる印刷処理について図１１に示すフローチャートを参照して説明する。
【０２００】
アプリケーションから画像データ（若しくは文書データ）を受け付け（ステップＳ１１０１）、受け付けた画像データを変換して印刷画像を生成し（ステップＳ１１０２）、サムネール画像の作成指示の有無を確認する（ステップＳ１１０３）。
【０２０１】
サムネール画像の作成指示が有る場合（ステップＳ１１０３でＹＥＳ）、印刷画像のサムネール画像を生成し（ステップＳ１１０４）、サムネール画像から切出しサムネール画像を切り出し（ステップＳ１１０５）、印刷画像と切出しサムネール画像の印刷ジョブを作成し（ステップＳ１１０６）、ステップＳ１１０８に進む。
【０２０２】
サムネール画像の作成指示が無い場合（ステップＳ１１０３でＮＯ）、印刷画像の印刷ジョブを作成し（ステップＳ１１０７）、ステップＳ１１０８に進む。
【０２０３】
そして、印刷ジョブを印刷処理装置に送信し（ステップＳ１１０８）、印刷処理を終了する。
【０２０４】
次に、印刷処理装置２で行われる印刷処理について図１２に示すフローチャートを参照して説明する。
【０２０５】
クライアント装置から印刷ジョブを受信し（ステップＳ１２０１）、印刷ジョブを保存し（ステップＳ１２０２）、印刷ジョブを画像出力装置に送信し（ステップＳ１２０３）、印刷処理を終了する。
【０２０６】
次に、保存された印刷ジョブの再印刷が指示された際に印刷処理装置で行われる再印刷の処理手順について図１３に示すフローチャートを参照して説明する。
【０２０７】
再印刷指示を受け付けると（ステップＳ１３０１）、保存した印刷ジョブのサムネール画像を表示し（ステップＳ１３０２）、再印刷の印刷ジョブが特定されると（ステップＳ１３０３でＹＥＳ）、特定された印刷ジョブを画像出力装置に送信し（ステップＳ１３０４）、再印刷の処理手順を終了する。
【０２０８】
次に、印刷処理装置２、画像入力装置３ａ、クライアント装置３ｂ、画像出力装置４のそれぞれの構成について、再印刷を行うために印刷ジョブを保存することができる印刷処理装置２がサムネール画像生成部８を有する実施例４を一例にして詳細に説明する。
【実施例４】
【０２０９】
図１４は、本発明の実施例４における印刷処理装置２、画像入力装置３ａ、クライアント装置３ｂ、画像出力装置４の機能的な構成を示すブロック図である。なお、図１４において、本発明の実施例１乃至実施例３における印刷処理装置２、画像入力装置３ａ、クライアント装置３ｂ、画像出力装置４の構成部と同様の機能を果たす構成部分には同一の符号を付している。
【０２１０】
印刷処理装置２の機能的な構成について詳細に説明する。
【０２１１】
図１４に示すように、印刷処理装置２は、画像入力装置３ａから画像データまたはクライアント装置３ｂから画像データ（若しくは文書データ）を受信する画像データ受信部６、画像データをプリンタ制御コードを用いて変換して印刷画像を生成する画像データ変換部７、印刷画像のサムネール画像を生成するサムネール画像生成部８、サムネール画像の生成を指示する機能であるサムネール画像生成指示手段３５、切出しサムネール画像の設定を指示する機能である画像切出し設定指示手段２２を有する指示部１５、サムネール画像の一部を切り出し、指示部１５の画像切出し設定指示手段２２の指示に従って、切出しサムネール画像を設定する機能である画像切出し設定手段２３を有する画像切出し部９、印刷画像に基づいて印刷ジョブを作成する印刷ジョブ作成部１０、印刷ジョブを保存する印刷ジョブ保存部２９、印刷ジョブ保存部２９に保存された印刷ジョブの再印刷の制御を行う再印刷制御部３０、印刷ジョブ保存部２９に保存された印刷ジョブの再印刷の指示、当該印刷ジョブのサムネール画像の表示等を行うＵＩ部３１、印刷ジョブを画像出力装置４に送信する印刷ジョブ送信部１１を具備して構成される。なお、実施例４においては、印刷ジョブの再印刷の指示および印刷ジョブのサムネール画像の表示をＵＩ部３１で行う構成を適用しているが、当該構成に限定する必要はなく、再印刷の指示とサムネール画像の表示とを別々に行う構成も適用可能である。
【０２１２】
次に、画像入力装置２の機能的な構成について詳細に説明する。
【０２１３】
図１４に示すように、画像入力装置３ａは、原稿を読み取って画像データを生成する画像入力部１７、受け付けた各種設定に基づいて設定データを生成する設定部１８を具備して構成される。
【０２１４】
次に、画像出力装置４の機能的な構成について詳細に説明する。
【０２１５】
図１４に示すように、画像出力装置４は、印刷処理装置２から印刷ジョブを受信する印刷ジョブ受信部１９、印刷ジョブに含まれる印刷画像を用紙上に形成する印刷部２０を具備して構成される。
【０２１６】
次に、画像入力装置３ａで入力した画像データまたはクライアント装置３ｂで作成した画像データ（若しくは文書データ）を画像出力装置４で印刷するように指示された際に、印刷処理装置２、画像入力装置３ａ、クライアント装置３ｂ、画像出力装置４が行う機能的な動作について図１４を参照して詳細に説明する。
【０２１７】
画像入力装置３ａの画像入力部１７は原稿を読み取って画像データを生成とともに、設定部１８は画像データの出力先の指定、画像データの印刷条件の指定等の各種設定に基づいて設定データを生成し、生成した画像データおよび設定データを印刷処理装置２に送信する。または、クライアント装置３ｂはアプリケーションプログラムで作成された画像データ（若しくは文書データ）を印刷処理装置２に送信する。
【０２１８】
印刷処理装置２の画像データ受信部６は画像入力装置３ａから送信された画像データおよび設定データ、またはクライアント装置３ｂから送信された画像データ（若しくは文書データ）を受信すると、受信した画像データおよび設定データを画像データ変換部７に渡し、画像データ変換部７は画像データおよび各種設定を受け付けると、受け付けた設定データに基づき、プリンタ制御コードを用いて画像データを変換して印刷画像を生成し、生成した印刷画像および設定データを印刷ジョブ作成部１０に渡し、印刷ジョブ作成部１０は画像データ変換部７から印刷画像および設定データを受け付けると、受け付けた印刷画像および設定データに基づいて印刷ジョブを作成し、作成した印刷ジョブを印刷ジョブ保存部２９に保存する。
【０２１９】
ここで、印刷処理装置２の指示部１５のサムネール画像生成指示手段３５によりサムネール画像の生成が指示されると、サムネール画像生成部８は画像データ変換部７から印刷画像を取り出し、取り出した印刷画像のサムネール画像を生成し、生成したサムネール画像を画像切出し部９に渡し、画像切出し部９はサムネール画像を受け付けると、指示部１５の画像切出し設定指示手段２２により指示された切出しサムネール画像の位置、領域、倍率等の設定に従って、画像切出し設定手段２３はサムネール画像から切り出す位置、領域、倍率等を設定する。そして、画像切出し部９は画像切出し設定手段２３により設定された位置、領域、倍率等に従って、サムネール画像から切出しサムネール画像を切り出し、切り出した切出しサムネール画像を、先に印刷ジョブ保存部２９に保存した印刷ジョブと関連付けて保存する。
【０２２０】
印刷処理装置２の印刷ジョブ作成部１０は印刷ジョブを印刷ジョブ送信部１１に渡し、印刷ジョブ送信部１１は印刷ジョブを受け付けると、受け付けた印刷ジョブを印刷処理装置２に送信する。
【０２２１】
画像出力装置４の印刷ジョブ受信部１９は印刷処理装置２から送信された印刷ジョブを受信すると、受信した印刷ジョブに含まれる印刷画像および設定データを印刷部２０に渡し、印刷部２０は印刷画像および設定データを受け付けると、受け付けた設定データに基づき、印刷画像を用紙上に形成する。
【０２２２】
次に、印刷処理装置２に保存された印刷ジョブを再印刷するように指示された際に、印刷処理装置２、画像出力装置４が行う機能的な動作について図１４を参照して詳細に説明する。
【０２２３】
印刷処理装置２のＵＩ部３１は保存された印刷ジョブの再印刷の指示を受け付けると、再印刷の指示を受け付けた旨を再印刷制御部３０に通知し、再印刷制御部３０は再印刷の指示を受け付けた通知を受け付けると、印刷ジョブ保存部２９から保存された印刷ジョブのサムネール画像（印刷ジョブにサムネール画像が含まれていない場合は印刷ジョブの情報）を取り出し、取り出したサムネール画像をＵＩ部３１に表示する。
【０２２４】
なお、ＵＩ部３１にサムネール画像を表示するとともに、印刷ジョブ名、印刷ジョブに含まれるファイル名等も同時に表示することにより、再印刷すべき印刷ジョブを選択するのを容易にすることができる。更に、ＵＩ部３１に表示するサムネール画像は印刷ジョブに含まれるサムネール画像を全て表示する制御でも良いし、印刷ジョブを識別できる最小限のサムネール画像（例えば、１ページ目の画像に対応したサムネール画像）を表示する制御でも良い。
【０２２５】
印刷処理装置２のＵＩ部３１は再印刷する印刷ジョブが特定されると、特定された印刷ジョブについて再印刷制御部３０に通知し、再印刷制御部３０は特定された印刷ジョブについての通知を受け付けると、印刷ジョブ保存部２９から特定された印刷ジョブを取り出し、取り出した印刷ジョブを印刷ジョブ送信部１１に渡し、印刷ジョブ送信部１１は再印刷制御部３０から印刷ジョブを受け取ると、受け取った印刷ジョブを画像出力装置４に送信する。
【０２２６】
画像出力装置４の印刷ジョブ受信部１９は印刷処理装置２から送信された印刷ジョブを受信すると、受信した印刷ジョブに含まれる印刷画像および設定データを印刷部２０に渡し、印刷部２０は印刷画像および設定データを受け付けると、受け付けた設定データに基づき、印刷画像を用紙上に形成する。
【０２２７】
次に、印刷処理装置２で行われる印刷処理について図１５に示すフローチャートを参照して説明する。
【０２２８】
画像入力装置またはクライアント装置から画像データを受信し（ステップＳ１５０１）、画像データを変換して印刷画像を生成し（ステップＳ１５０２）、印刷画像の印刷ジョブを作成し（ステップＳ１５０３）、印刷ジョブを保存し（ステップＳ１５０４）、サムネール画像の作成指示の有無を確認する（ステップＳ１５０５）。
【０２２９】
サムネール画像の作成指示が有る場合（ステップＳ１５０５でＹＥＳ）、印刷画像のサムネール画像を生成し（ステップＳ１５０６）、サムネール画像から切出しサムネール画像を切り出し（ステップＳ１５０７）、保存した印刷ジョブとともに切出しサムネール画像を保存し（ステップＳ１５０８）、ステップＳ１５０９に進む。
【０２３０】
サムネール画像の作成指示が無い場合（ステップＳ１５０５でＮＯ）、ステップＳ１５０９に進む。
【０２３１】
そして、印刷ジョブを印刷処理装置に送信し（ステップＳ１５０９）、印刷処理を終了する。
【０２３２】
次に、保存された印刷ジョブの再印刷が指示された際に印刷処理装置２で行われる再印刷の処理手順について図１６に示すフローチャートを参照して説明する。
【０２３３】
再印刷指示を受け付けると（ステップＳ１６０１）、保存した印刷ジョブのサムネール画像を表示し（ステップＳ１６０２）、再印刷の印刷ジョブが特定されると（ステップＳ１６０３でＹＥＳ）、特定された印刷ジョブを画像出力装置に送信し（ステップＳ１６０４）、再印刷の処理手順を終了する。
【図面の簡単な説明】
【０２３４】
【図１】本発明の実施の形態で用いる印刷処理システム１の全体構成の一例を示すブロック図である。
【図２】本発明の実施例１における印刷処理装置２、画像入力装置３ａ、画像出力装置４の機能的な構成を示すブロック図である。
【図３】指示部１５、画像切出し部９のそれぞれが有する機能を示すブロック図である。
【図４】印刷処理装置２で行われる印刷処理を示すフローチャートである。
【図５】サムネール画像２４の一例を示す図である。
【図６】ジョブエンドシート２６の一例を示す図である。
【図７】本発明の実施例２における印刷処理装置２、画像入力装置３ａ、画像出力装置４の機能的な構成を示すブロック図である。
【図８】印刷処理装置２で行われる印刷処理を示すフローチャートである。
【図９】画像出力装置４で行われる印刷処理を示すフローチャートである。
【図１０】本発明の実施例３における印刷処理装置２、クライアント装置３ｂ、画像出力装置４の機能的な構成を示すブロック図である。
【図１１】クライアント装置３ｂで行われる印刷処理を示すフローチャートである。
【図１２】印刷処理装置２で行われる印刷処理を示すフローチャートである。
【図１３】保存された印刷ジョブの再印刷が指示された際に印刷処理装置で行われる再印刷の処理手順を示すフローチャートである。
【図１４】本発明の実施例４における印刷処理装置２、画像入力装置３ａ、クライアント装置３ｂ、画像出力装置４の機能的な構成を示すブロック図である。
【図１５】印刷処理装置２で行われる印刷処理を示すフローチャートである。
【図１６】保存された印刷ジョブの再印刷が指示された際に印刷処理装置２で行われる再印刷の処理手順を示すフローチャートである。
【符号の説明】
【０２３５】
１    印刷システム
２    印刷処理装置
３ａ    画像入力装置
３ｂ    クライアント装置
４    画像出力装置
５    ネットワーク
６    画像データ受信部
７    画像データ変換部
８    サムネール画像生成部
９    画像切出し部
１０    印刷ジョブ作成部
１１（１１１、１１２）    印刷ジョブ送信部
１２    印刷結果情報取得部
１３    印刷完了ページ数比較部
１４１、１４２    ジョブエンドシート生成部
１５    指示部
１６    表示部
１７    画像入力部
１８    設定部
１９（１９１、１９２））    印刷ジョブ受信部
２０    印刷部
２１    ジョブエンドシート生成指示手段
２２    画像切出し設定指示手段
２３    画像切出し設定手段
２４    サムネール画像
２５    図面番号「図面  １０５４２−１」が表記されている範囲
２６    ジョブエンドシート
２７    切出しサムネール画像
２８    抽出部
２９    印刷ジョブ保存部
３０    再印刷制御部
３１    ＵＩ部
３２    プリンタドライバ
３３    アプリケーション
３４    画像データ受付部
３５    サムネール画像作成指示手段
【図１】
2006053784.tif 000003
【図２】
2006053784.tif 000004
【図３】
2006053784.tif 000005
【図４】
2006053784.tif 000006
【図５】
2006053784.tif 000007
【図６】
2006053784.tif 000008
【図７】
2006053784.tif 000009
【図８】
2006053784.tif 000010
【図９】
2006053784.tif 000011
【図１０】
2006053784.tif 000012
【図１１】
2006053784.tif 000013
【図１２】
2006053784.tif 000014
【図１３】
2006053784.tif 000015
【図１４】
2006053784.tif 000016
【図１５】
2006053784.tif 000017
【図１６】
2006053784.tif 000018